(57)【要約】      （修正有）【課題】擦弦機構は、多くの人に演奏の機会を提供でき、なおかつ、従来の擦弦楽器では不可能であった重層的な和音演奏や、対位法的ポリフォニック的な演奏また和声演奏を、一人の演奏者によって演奏を可能にする、器楽演奏の可能性を広げる画期的な擦弦機構を提供する。【解決手段】擦弦部材１と、擦弦部材の回転動力である速度制御モーター３と、速度制御モーターの回転動力を擦弦部材に伝達する伝達部材２と、フットペダル４ａの操作に基づいて速度制御モーターの回転速度を制御する速度制御装置４によって構成される。【選択図】図１
2006317917.tif 000002
【特許請求の範囲】
【請求項１】
擦弦部材と、前記擦弦部材の回転動力である速度制御モーターと、前記速度制御モーターの回転動力を前記擦弦部材に伝達する伝達部材と、フットペダルの操作に基づいて前記速度制御モーターの回転速度を制御する速度制御装置によって構成されることを特徴とする擦弦機構。
【請求項２】
前記擦弦部材は、円盤形状の回転体と、前記回転体の曲面に弾性体の層を設け、更に前記弾性体の上に摩擦体を着脱可能な両面テープまたは接着剤によって設置したことを特徴とする請求項１記載の擦弦機構。
【請求項３】
請求項１記載の前記擦弦機構を設けたことを特徴とするアコースティックの弦楽器。
【請求項４】
請求項１記載の前記擦弦機構を設けたことを特徴とする電気弦楽器。
【発明の詳細な説明】
【背景技術】
【０００１】
従来の弦楽器には、弓を用いて弦を擦って演奏する種類のものがある。西洋のバイオリン属やチェロ属の楽器や、中国の胡弓である。「弦を擦って演奏する楽器」を略して、擦弦楽器と呼ばれる場合がある。
【０００２】
また近年、電気的な手法によって弦振動を増幅し、演奏に用いる電気擦弦楽器が開発された。バイオリン属やチェロ属の楽器の形状をもとにした電気擦弦楽器のエレキバイオリン、エレキチェロなどがある。バイオリンやチェロを原型にしたエレキバイオリンやエレキチェロは、圧電素子を用いて弦振動を検出するピックアップを設置しているものがある（例えば、特許文献１参照）。
【０００３】
また、擦弦手段に回転体を用いて、持続音を発生せしめ、演奏に用いるものもある（例えば、特許文献２記載参照。）。
【０００４】
また、ハーディ・ガーディと呼ばれるヨーロッパの弦楽器がある。木製円盤の曲面に松ヤニを塗って、円盤をハンドルによって手回し、回転する円盤によって擦弦する（非特許文献３記載）。
【０００５】
【特許文献１】特許公開２００４−１４４７７４号公報
【特許文献２】特許公開平９−６３３２号公報
【非特許文献１】「世界音楽文化図鑑」アラン・ブラックウッド著、別宮貞得監訳、東洋書林、２００１年６月５日第１刷発行、Ｐ１１８
【発明の開示】
【発明が解決しようとする課題】
【０００６】
以上に述べたバイオリン属やチェロ属の擦弦楽器、また特許文献１記載の電気擦弦楽器などにおいて、擦弦は右手に持った弓によって行われる。
【０００７】
従来の演奏法は、長細い弓の一端を持ち、その弓を使って弦を擦る。その瞬間に最適な擦弦状態を作り出す技術を習得するには、膨大な練習量が必要とされる。弓を動かすのは、主に腕の動きによるものであり、例えばバイオリンやチェロの練習では、長時間腕を動かしつづけることになる。
【０００８】
演奏者がお年寄りであると、弓を使って擦弦する楽器の練習そのものが身体的に大きな負担となる場合があり、演奏練習そのものが困難である。
【０００９】
また、右手に弓を持って演奏するため、左手の指による押弦によって音程を決定する。左手の指だけに頼って押弦をしていくために、演奏は単旋律的メロディー的なものにならざるを得ず、重層的な音の堆積によって作られる和音や、西洋クラシックに代表されるような複数声部の同時演奏である和声や、対位法的な音楽構成を持つ楽曲演奏には、複数の演奏者による合奏に頼るしかなかった。
【００１０】
特許文献２記載の発音持続装置は、弦接触部材の回転動作の調節を手動で行う。片手で弦を押さえ、もう片方の手で発音持続装置の操作を行うとするものであり、従来の擦弦楽器の音楽構成の範囲を超えるものとは言い難い。非特許文献１のハーディ・ガーディにおいても同様である。
【００１１】
本発明の擦弦機構は、このような従来の擦弦楽器が有していた問題を解決するものであり、擦弦楽器の豊かな音楽表現力を損なわないで、多くの人に演奏の機会を提供し、なおかつ単体の擦弦楽器の持つ音楽構成の範囲を広げるものである。
【課題を解決するための手段】
【００１２】
そして、本発明は上記課題を解決するために、請求項１に記載の、擦弦部材と、擦弦部材の回転動力である速度制御モーターと、速度制御モーターの回転動力を擦弦部材に伝達する伝達部材と、フットペダルの操作に基づいて速度制御モーターの回転速度を制御する速度制御装置によって構成されることを特徴とする擦弦機構を提供する。
【００１３】
擦弦部材を速度制御モーターによって回転させ、速度制御モーターの回転速度をフットペダルの操作によって制御する機構を用いることで、腕の動きで弓を動かして擦弦する必要がなくなった。弦を押さえ、回転している擦弦部材に弦を押し当てるだけで擦弦ができるためである。
【００１４】
フットペダルは、自動車や電動ミシン等に、広く用いられているものであり、年齢や性別を問わず、多くの人に使用されている。フットペダルは、操作が簡単なうえ、身体的負担の少ない操作手段である。
【００１５】
よって、フットペダルを用いることによって、楽器演奏による身体的な負担を軽くすることが可能になった。
【００１６】
また、弓の代わりに擦弦部材を用いることで、同時に擦弦可能な弦の本数を増やすこともできた。
【００１７】
従来の弓を用いた擦弦楽器であると、同時に擦弦できるのは、一本の弦、ないしは隣り合う二本の弦までであった。しかし、擦弦部材を用いることで、同時に二、三弦、またそれ以上の本数の弦を、同時に擦弦出来るようになった。また隣り合っていない、複数の弦を同時に押さえ、擦弦することが可能になった。
【００１８】
また、フットペダルを用いて擦弦部材の回転を操作する手段によって、従来の擦弦楽器において弓を扱うはずの手を、弦を押さえることに使えるようになった。
【００１９】
そのため、従来の擦弦楽器では、複数の楽器とその奏者を必要とした和音、複数声部を同時かつ並行的に演奏する和声や、対位法的な構成を持つ楽曲を、一人の奏者で演奏することができる。
【００２０】
請求項２に記載の、前記擦弦部材は、円盤形状の回転体と、回転体の曲面に弾性体の層を設け、更に弾性体の上に弦と接触し擦弦する摩擦体を着脱可能な両面テープまたは接着剤によって設置したことを特徴とする擦弦機構を提供する。
【００２１】
弾性体を設けないで、摩擦体を直接、回転体に設置すると、振動する弦が回転体にぶつかって、「カチカチカチ」と雑音が生ずる。円盤形状の回転体に、弾性体の層を設け、その上に弦と接触して擦弦する摩擦体を設置したことで、弾性体がクッションの役割をして、雑音を軽減することが可能となった。
【００２２】
請求項３に記載の、擦弦機構を設けたことを特徴とするアコースティックの擦弦楽器を提供する。
【００２３】
また請求項４に記載の、擦弦機構を設けたことを特徴とする電気擦弦楽器を提供する。
【００２４】
本発明の擦弦機構を用いた擦弦楽器並びに電気擦弦楽器によって、従来の擦弦楽器における問題点を改善することが可能になった。本発明の擦弦機構を用いた擦弦楽器は、後に実施例を記載して説明している。
【００２５】
また従来の弦楽器においても、本発明の擦弦機構を設置することで、音楽構成の範囲を広げることが可能になる。
【発明の効果】
【００２６】
上述したように、本発明の擦弦機構は、多くの人に演奏の機会を提供でき、なおかつ、従来の擦弦楽器では不可能であった対位法的ポリフォニック的な演奏、また複雑で重層的な和音、和声演奏を一人の演奏者において可能にさせ、器楽演奏の可能性を広げる画期的な擦弦機構である。
【発明を実施するための最良の形態】
【００２７】
以下、本発明の実施の形態を、図面を参照しながら詳細に説明する。
【００２８】
まず図１において、本発明の擦弦機構の説明を行う。図１は、本発明の擦弦機構の各部材の相互関係を説明するために記載した図である。
【００２９】
円盤形状の擦弦部材１は、伝達部材２を介して、速度制御モーター３を回転動力として回転する。速度制御装置４は、フットペダルの操作に基づいて、速度制御モーター３の回転速度の制御を行う。
【００３０】
速度制御モーター３は、ヘッドギアを設けて、モーターとヘッドギアが一体になっているものとしている。使用用途に応じて、ヘッドギアを用いることは、一般に広く行われている技術だと考えた。以下、モーターの駆動を受けて回転するヘッドギアの駆動軸を、速度制御モーター３の駆動軸３ａとして記述している。
【００３１】
擦弦部材１は、円盤形状の実施を例に記載した。図１において、擦弦部材１の側面である曲面は、俵のように曲面中央に膨らみを有した形状で記載している。擦弦部材１の角が弦に接触すると、雑音を生じる場合や、摩擦体７がめくれる場合があるからである。主に４種類の異なる側面形状を有する擦弦部材１を制作して実施に用いた。それらは図２０に記載している。
【００３２】
伝達部材２は、速度制御モーター３の駆動軸３ａにカプラーを設け、二つのユニバーサル・ジョイントを介して回転動力を伝達する機構を実施例として記載した。他にも、タイミングベルトやギヤを用いて、伝達部材２とした実施がある。
【００３３】
作動時に発生するノイズを軽減させるためには、伝達部材２のような中継の部材を減らしていくことが望ましい。ノイズを小さくするために擦弦部材１を速度制御モーター３の駆動軸３ａに直接設置した実施もある。擦弦部材１を速度制御モーター３の駆動軸３ａに直接に設置した場合、伝達部材２は設けないことになる。
【００３４】
擦弦部材１を回転させる回転軸２ａは、ベアリング２ｂによって、両端を支持され、回転する。回転軸２ａと擦弦部材１の関係を分かりやすくするために、ベアリング２ｂ並びに緩衝材５は、切断したものとして記載した。
【００３５】
４は速度制御装置である。図解を容易にするために、電気コードによって接続される実施を例に記載した。速度制御装置４のフットペダルは、踏み込み式のフットペダルを用いた実施例を記載し、速度制御モーター３と速度制御装置４の間をつなぐ電気コードは速度制御装置４の中に含まれるものとして記載した。速度制御モーター３並びに速度制御装置４には、オリエンタルモーター株式会社製のＡＸＵシリーズの製品を使用した。
【００３６】
踏み込み板４ａは、シーソーのように、つま先と踵の相互の上下運動で、踏み込み板４ａの操作を行う。
【００３７】
また踏み込み板４ａに、足を引っ掛けるためのベルトを設置した実施がある。
【００３８】
５は緩衝材である。本発明の擦弦機構を弦楽器本体に設置した場合に、ノイズの原因となる速度制御モーター３や伝達部材２から生じる振動を、楽器本体に伝えないようにするために設けた。
【００３９】
図２において、円盤形状の擦弦部材1の説明を行う。
【００４０】
円の中心からのびる放射線が描かれている層６は弾性体、その外の層７は摩擦体である。摩擦体７にはトレーシングペーパーや普通印刷紙、馬の尾毛、また釣り用のビニール糸やカーボン糸を試験的に用いた。摩擦体７の設置の手段として、内側に両面テープを使用した。
【００４１】
摩擦体７は、上記記載のトレーシングペーパー以下の材料と、接着に用いた両面テープを一つの層として、摩擦体７としている。両面テープを用いた理由は、摩擦体７を着脱可能な状態で固定するためである。弾性体６の材質にゴムを用いた場合、接着剤を用いて、摩擦体７を設置した実施もある。摩擦体７を着脱可能な状態で設置することで、摩擦体７の交換をすることができる。
【００４２】
回転体８を、木材や木繊維によって作られた集成材から制作して、側面の表面を滑らかにして、直接松ヤニを付着させた実施がある。弾性体６と摩擦体７を設置しないものである。結果は、弦と回転体が弦振動によって、小刻みにぶつかり合い、カチカチと雑音が生じた。
【００４３】
そのため、摩擦体７の下層に弾性体６を用いた。これによって、弦振動から生じる雑音を軽減させることが可能になった。
【００４４】
弾性体６の実施には、２ミリメートルのスポンジの層や、２ミリメートルのゴムの層で実施した。スポンジやゴムの厚みや接着方法、幅によって、擦弦状態は影響を受けた。
【００４５】
従来の擦弦楽器に使用される馬の尾毛の場合を参考にすると、一般にチェロを擦弦する弓に張られる馬の尾毛は、バイオリンの弓に張られる馬の尾毛に比べ、太くて硬い尾毛が用いられる。
【００４６】
それから推測して、低音弦を擦弦する擦弦部材１の弾性体６にゴム板を用い、高音弦を擦弦する擦弦部材１にスポンジを用いて、擦弦する弦の太さの違いによって、弾性体６を変えた実施もある。
【００４７】
実施において、硬さの異なる上記の弾性体を重ねて、弾性体６の層として用いた実施もある。
【００４８】
図３において、円盤形状の擦弦部材１における摩擦体７の設置する際の、継ぎ目αについて説明する。
【００４９】
図３は側面から擦弦部材１を見た図で、継ぎ目αの実施例を記載している。
【００５０】
摩擦体７は、切り端の両端が重ならないように切り揃えて、弾性体６の上に設置する。切り端が重なると段差が出来てしまい、擦弦時に弦が引っ掛かって雑音のもとになるためである。
【００５１】
また、単に切り揃えるだけではなく、図３記載のように、継ぎ目αが斜めになるよう角度をつけて切り揃えた。斜めに切り揃えることで、弦の引っ掛かりを軽減することができた。
【００５２】
図４において、円盤形状の擦弦部材１の代わりに、摩擦体７を円環状にして、ベルト式に回転させる実施を説明する。
【００５３】
９はベルトのガイドまたはガイドローラー、黒く塗りつぶされた１０は平ベルトを示す。１１は弦である。回転軸２ａに、平ベルト１０を回転させるためのプーリー２ｃを設置した。
【００５４】
円盤形状の擦弦部材１を用いた場合、擦弦部材１を設置するスペースを確保することが設計の前提条件となり、その他の周辺部材の設計は、そこから従属的に決めることになる。
【００５５】
図４のように摩擦体７をベルトにすることで、設置スペースにかかわる設計の選択肢を広げるものである。
【００５６】
図４に記載したのは平ベルト１０であるが、平ベルトの代わりに、高いトルクを伝達することができるタイミングベルトを用いた実施もある。平ベルト１０やタイミングベルトを設けないで、円環状にした摩擦体７のみを回転させる実施もある。
【００５７】
これより、本発明の擦弦機構を一組設置した擦弦楽器の実施例について、図５、図６、図７、図８を参照しながら説明する。
【００５８】
弦保持部１２と弦巻き取り部１３によって弦１１を張り渡す。従来の弦楽器に用いる金属弦を使用することを想定しており、金属弦の多くが、弦の一端に小さな金具を設けてある。この金具は、弦を固定する手段として用いられている。
【００５９】
図中において、１１ａで示される丸い部材が、金具である。金具１１ａによって、弦を保持する構造を採用した。
【００６０】
弦保持部１２は、弦を通す切れ目を設け、その切れ目に金具１１ａが引っかかることによって、弦１１を保持するものである。
【００６１】
弦１１を２本張り渡した実施を例に記載した。弦１１の本数は、２本から増やすことも、減らすことも可能である。弦１１が押さえられ、回転する擦弦部材１によって擦弦されて生じた弦振動を、下駒１４を介して響板１５に振動を伝達する。
【００６２】
響板１５は、図６に見るように膨らみを有する構造になっている。この響板１５の部分が平板なものを用いた実施もある。胡弓は、この部分が蛇の皮を使用してあり、それを転用した実施もある。
【００６３】
弦１１の下に、指盤１６がある。指盤１６には、音程位置を示す目盛り１７と、数字１８を設けた。
【００６４】
数字譜という楽譜の種類がある。大正琴において、広く使われている楽譜の形式で、音程を数字で記譜する。弦を押さえる各キーにはそれぞれ数字があてられており、演奏者が数字譜の数字に従ってキーを押さえて弦を弾くと、曲が演奏できる。西洋の五線譜による記譜法よりも譜読が容易で、初心者でも演奏練習をすることが可能である。
【００６５】
図５から図８に記載した、本発明の擦弦機構を設けた擦弦楽器も、数字譜の使用を想定し、指盤１６に設けた目盛り１７に対応した数字１８を設けた。
【００６６】
指盤の一端に上駒９を設ける。
【００６７】
本体２０のＡ−Ａから切断し、内部構造を記載した側面図が図６である。
【００６８】
本体２０は、中に仕切り２１が入った箱の形状になっている。仕切り２１に、緩衝材５を挟んで、速度制御モーター３を固定ネジ２２によって設置する。
【００６９】
響板１５から発する音を、共鳴筒２３によって共鳴させる。
【００７０】
図７は、下から見た図である。
【００７１】
図７記載の共鳴筒２３の底面には、何も設けていないので、響板１５が見えている。共鳴筒２３の底面に紙や薄い板を設けた実施もある。薄い板や紙を設けると、音響を変化させることができる。
【００７２】
足２４によって、本体２０の底面が浮かせてある。底面の隙間から、音が周囲に広がる仕組みになっている。
【００７３】
２５は、速度制御モーター３を取り外す時に開けるフタであり、ネジで四隅を固定する実施を例にして記載した。速度制御モーター３を交換する必要がある場合、フタ２５を外して速度制御モーター３を取り出す。
【００７４】
図８は、着席した演奏者が、本発明の擦弦機構を１組用いた擦弦楽器を演奏している図である。台２６に本体２０をのせて演奏する形態を記載した。
【００７５】
図９から図１５に記載したのは、本発明の擦弦機構を二つ用いた電気擦弦楽器の実施例を記載した。
【００７６】
前記の図５から図８に記載した擦弦楽器の各部材を示す符号のうち、弦１１，弦１１の一端に設けられた金具１１ａ、弦保持部１２，弦巻き取り部１３を、図９から図１５に記載した電気擦弦楽器に転用した。
【００７７】
若干の形状や寸法の差異はあるが、同じ機能を果たす部材には、符号を転用した方が理解を容易にすると考えたからである。
【００７８】
図９から図１５に記載した電気弦楽器は、図１に記載の擦弦機構を二つ使用している。よって、擦弦機構の各部材の数字表記も、そのまま用いた。
【００７９】
実施において、弦振動を検出するのは、主にバイオリン属やチェロ属の楽器を原型とする電気擦弦楽器に使用されている圧電素子を用いたピックアップを設置した。設置した位置は、下駒２７と擦弦部材１の間の本体２６に、圧電素子の板を設置した。
【００８０】
ピックアップは、従来の製品を使用したため、図には記載していない。
【００８１】
従来のエレキギターやエレキバイオリンにおいて、ピックアップにかかわる電気機材、配線や出力端子、入力端子、音量つまみや音質調整のつまみは、楽器本体に設置されている。本発明の擦弦機構を設置した電気擦弦楽器のボディ２６の、一部を削って凹みを作り、エレキバイオリン設けられている、電気機材を組み込んだ実施もある。
【００８２】
弦巻き取り部１３と弦保持部１２によって、弦１１を設置した。弦保持部１２は、弦１１を通す穴を設け、弦１１の一端に設けられている金具１１aを引っ掛けることで、弦１１を固定する。
【００８３】
ボディ２６は、エレキギターやエレキバイオリンのように、木材から切り出して成形した。
【００８４】
速度制御モーター３を設置するために、取り付け部材２８をボディ２６に設けた。取り付け部材２８は、図５から図８に記載した擦弦楽器の仕切り２１と同様に、緩衝材５を間に挟んで速度制御モーター３をネジ止めする。
【００８５】
実施において、図９から図１５に記載した電気擦弦楽器は、弦１１を８本張り渡した。それに伴い弦保持部１２と弦巻き取り部１３の数も８組設けた。
【００８６】
図９から図１５に記載した電気擦弦楽器において、弦１１と擦弦部材１の間隔を弦ごとに調節できるように、下駒２７は弦ごとに独立しており、なおかつ高さ調節を可能にする構造を有している。よって、下駒２７も８個設置した。
【００８７】
下駒１７の詳細な構造は、図１２を参照しながら説明する。弦１１と接触する端は、山形に削った。下駒２７の高さ調節に用いる高さ調節ネジ２９をねじ込む穴をあけ、それから下駒２７を差し込む下駒穴３０をあける。下駒穴３０の位置は、図１０あるように、弦保持部１２と擦弦部材１との間にする。そして下駒２７を、ボディ２６に設けた下駒穴３０に、着脱可能な状態で差し込んだ。
【００８８】
３１は擦弦部材１を保護する保護板である。楽器が転倒した場合に、擦弦部材１を保護する。また、ベアリング２ｂを設ける役割も担っている。図１記載のように、緩衝材５を間に挟んでベアリング２ｂを設置した。また、実施によっては、ベアリング２ｂの周りに緩衝材５を設けない場合もあった。
【００８９】
指盤３２は、図５から図８に記載した擦弦楽器と機能的に、大きな差異はない。音程位置をあらわす目盛り３３もある。図９から図１５に記載した楽器には、この指盤３２が２本、並列に並べてある。擦弦部材１が２組用いられているためである。
【００９０】
なお、演奏練習の際に、目盛り３３に数字ではなく、目盛りの示す音階名を併記した。これは、音程位置を視覚的に認識するものであり、初心者向けの練習への導入として、鍵盤楽器などにおいても広く用いられている。
【００９１】
また、目盛り３３の位置に、フレット加工を施した実施もある。
【００９２】
上駒３４は、図１３に詳細を記載した。図９から図１５に記載した楽器において、太い弦にテンション、張りを持たせるために上駒の弦接触面を階段状にずらした。従来の弦楽器の多くは、上駒の弦接触面は直線的に設置してあり、弦の長手方向に対して直角をなすように設置されている。
【００９３】
上駒３４の弦接触面を階段状にずらしたのは、チェロに使われている従来の弦を、図９から図１５に記載した電気擦弦楽器に使用したために、このような形になった。
【００９４】
そのため、弦の太さや、弦の材質が変わると、従来の弦楽器の上駒のように、弦接触位置が直線的に配置され得る可能性がある。
【００９５】
スペーサー３５は、指盤３２の演奏に適した位置に固定するために用いた。弦１１と指盤３２との間隔を微調節できるように、指盤３２はネジ留めにして、着脱可能な状態にした。スペーサー３５の形状を変えることで、指盤３２の位置を微調整することができる。  
【００９６】
図１０は上方から見た外観図で、図解を容易にするために、弦１１は記載していない。図１１は弦１１を設置した場合の外観図である。
【００９７】
図１４は、演奏方法の例を記載した図である。楽器を足の間に置き、足で速度制御装置４の踏み込み板４aを操作し、演奏している。ボディ２６を、演奏者の着席している椅子に置いている。
【００９８】
演奏者の身体の位置と、楽器の相互関係が分かりやすくなるように、演奏者の左足と、左足で操作される速度制御装置４を電気コードの途中から省略して記載した。
【００９９】
演奏者から見て、右側に位置する擦弦部材１を右足のフットペダルで操作し、右側の擦弦部材１によって擦弦される弦１１を、右手で押さえて擦弦し、演奏する。左側も同様に行う。
【０１００】
実施において、右手によって、擦弦される４本の弦１１はバイオリンのように高い音域を発音できる弦を張り、左手によって演奏される４本の弦１１はチェロの弦を張った。これによって、右手でバイオリンの音域を、左手でチェロの音域を演奏することが可能になった。
【０１０１】
図１５は、楽器の支持部材３６を記載した。着脱可能な方法で、ボディ２６を固定する。実施において、三脚の支持部材３６を制作し、それを例に記載した。
【０１０２】
図１６，図１７において、本発明の擦弦機構と、従来のバイオリンの下駒と弓の位置関係を図に記載して、擦弦の構造を比較して説明する。
【０１０３】
図１６は、バイオリンに使われる弓に張られた馬の尾毛３７と下駒３８であり、擦弦時の位置関係を記載した。図１７が、擦弦部材１の円盤の輪郭線と弦１１の位置関係を記載した。図１６，図１７は共に、４本ずつ弦１１が張ってある場合を例に記載してある。
【０１０４】
従来のバイオリンは、馬の尾毛３７は、張り渡された４本の弦のうち、隣り合った二本しか、同時に擦弦することが出来ない。これが、従来の弦楽器における構造的な問題である。
【０１０５】
本発明の擦弦機構において、擦弦部材１は、演奏されない時点では、弦１１と触れていない。演奏者が弦１１を押さえた時点から、擦弦部材１と弦１１が接触し、擦弦されるようになっている。
【０１０６】
弦１１を押さえる方向は、円盤の中心方向に向かって、弦１１を押し下げるのであり、弦１１を円盤形状の擦弦部材１の外周に押し当てる方向を言う。
【０１０７】
図４記載の円環状にした摩擦体７をベルト式に回転させる実施においても、弦１１との位置関係は同じで、演奏者が弦１１を押さえたら、弦１１と円環状の摩擦体７が接触し、擦弦されるような位置関係で設置している。
【０１０８】
擦弦部材１，または図４記載の実施においても、押さえられた弦１１をすべて、例えば４本同時に擦弦することができる。隣り合っていない複数の弦１１を同時に擦弦することもできる。
【０１０９】
図１８において、円盤形状の擦弦部材１の側面形状について説明する。
【０１１０】
実施において、様々な形状の回転体８を制作した。それらを実施例として記載した。
【０１１１】
左から、形状加工を施していない回転体８（V）。面取り加工を施した回転体８（W）。円盤の側面の中央部が膨らんでおり、俵のような形状にした回転体８（X）。膨らみが片寄って、すぼんだ形になっている回転体８（Y）、主にこの４種の形状を制作した。
【図面の簡単な説明】
【０１１２】
【図１】本発明の擦弦機構であり、各部材の相互関係を説明するために記載した図。
【図２】擦弦部材の、摩擦体と弾性体と回転体と回転軸を記載した図。
【図３】擦弦部材に用いた摩擦体の繋ぎ目を記載した図。
【図４】平ベルトを用いた擦弦機構の実施例を記載した図。
【図５】本発明の擦弦機構を一組用いた擦弦楽器を上方から見た図。
【図６】図５記載の擦弦楽器のＡ−Ａ断面および側面図。
【図７】図５記載の擦弦楽器を下方から見た図。
【図８】図５記載の擦弦楽器の演奏例を記載した図。
【図９】本発明の擦弦機構を２組用いた電気擦弦楽器の側面図。
【図１０】弦を張り渡していない状態の電気擦弦楽器を上方から見た図。
【図１１】電気擦弦楽器に弦を８本張り渡した形態の図。
【図１２】電気擦弦楽器の下駒の構造を説明する図１１におけるＢ−Ｂ断面図。
【図１３】電気擦弦楽器の上駒の拡大図。
【図１４】電気擦弦楽器の演奏例を記載した図。
【図１５】電気擦弦楽器と、電気擦弦楽器を支持する三脚を記載した側面図。
【図１６】バイオリンの下駒を記載した図。
【図１７】擦弦部材の輪郭線と弦を記載した図。
【図１８】擦弦部材の形状を比較する図。
【符号の説明】
【０１１３】
２    伝達部材
２ａ  擦弦部材１の回転軸
２ｂ  回転軸２ａを保持するベアリング
３    速度制御モーター  
３ａ  速度制御モーターの駆動軸
４    速度制御装置
４ａ  踏み込み板
９  ガイドローラー
１１    弦
１１ａ  弦の一端に設けてある金具
１２    弦保持部
１３    弦巻き取り部
１４    下駒
１６    指盤
１７    音程位置を示す目盛り
１８    目盛りに併記した数字
１９    上駒
２０    擦弦機構を一組用いた擦弦楽器の本体
２１    仕切り
２２    固定ネジ
２３    共鳴筒
２４    足
２５    フタ
２６    擦弦機構を二組用いた電気擦弦楽器のボディ
２７    電気擦弦楽器の下駒
２８    取り付け部材
２９    高さ調節ネジ
３０    下駒穴
３１    保護板
３２    電気擦弦楽器の指盤
３３    電気擦弦楽器の音程位置を示す目盛り
３４    電気擦弦楽器の上駒
３５    スペーサー
３６    支持部材
３７    従来のバイオリンに使用される弓に張り渡された馬の尾
毛
３８    バイオリンの下駒
【図１】
2006317917.tif 000003
【図２】
2006317917.tif 000004
【図３】
2006317917.tif 000005
【図４】
2006317917.tif 000006
【図５】
2006317917.tif 000007
【図６】
2006317917.tif 000008
【図７】
2006317917.tif 000009
【図８】
2006317917.tif 000010
【図９】
2006317917.tif 000011
【図１０】
2006317917.tif 000012
【図１１】
2006317917.tif 000013
【図１２】
2006317917.tif 000014
【図１３】
2006317917.tif 000015
【図１４】
2006317917.tif 000016
【図１５】
2006317917.tif 000017
【図１６】
2006317917.tif 000018
【図１７】
2006317917.tif 000019
【図１８】
2006317917.tif 000020